(57)【要約】装置がミラー２と、ミラー２に沿ってまたはそれに関連して配置された複数の属性選択サイト１６、１８、２０、２２、２４であって、サイトのそれぞれが複数の選択セレクタをもつ属性選択サイト１６、１８、２０、２２、２４と、選択セレクタからの入力に基づいて少なくとも１つのパーソナルケア製品を推薦するための出力６２とを含む診断装置および方法が開示される。肌のための診断は、顧客の年齢、肌の色合い、乾燥度、日焼けの受けやすさ、吹き出ものの発生しやすさ、しわの形成、および孔の大きさに関する質問を受け入れる属性選択サイトを含む。毛髪、歯および腋窩用の製品もこの診断システムで個人的に専用化することができる。ミラー２は、顧客のミラーの反映を参照することによって、店内の顧客がより正確に属性の質問に答えることを可能にする。
2006516905.tif 000002
【特許請求の範囲】
【請求項１】
（ｉ）ミラーと、
（ｉｉ）ミラーと共にまたはそれに関連して配置された複数の属性選択サイトであって、サイトそれぞれが複数の選択セレクタをもつ属性選択サイトと、
（ｉｉｉ）選択セレクタからの入力に基づいて少なくとも１つのパーソナルケア製品を推薦するための出力とを含む診断装置。
【請求項２】
属性選択サイトが、年齢、肌の色合い、乾燥度、日焼けの受けやすさ、吹き出ものの発生しやすさ、しわ、孔の大きさおよびそれらの組み合わせから選択されたものに関連する質問を受け入れる領域である請求項１に記載の装置。
【請求項３】
複数のサイトが少なくとも３つの選択セレクタをもつ請求項１または２に記載の装置。
【請求項４】
サイト内の選択セレクタの１つの起動が、その同じサイトの任意の他のセレクタの同時の起動を妨げる請求項１から３のいずれかに記載の装置。
【請求項５】
サイト内部の選択セレクタのそれぞれが、サイトを説明する属性の異なる度合いを表示することで互いに異なる請求項１から４のいずれかに記載の装置。
【請求項６】
選択セレクタが、セレクタサイトとして指定された領域に対する指の圧力によって起動される請求項１から５のいずれかに記載の装置。
【請求項７】
選択セレクタの起動が、コンピュータプログラムへの電子伝送信号を開始させる請求項１から６のいずれかに記載の装置。
【請求項８】
選択セレクタの起動が、電子計算機に接続されていない機械的伝動装置を開始させる請求項１から７のいずれかに記載の装置。
【請求項９】
出力が、顧客に最も適した１つまたは複数のパーソナルケア製品を推薦する１つまたは複数のチャート上に詳述される請求項１から８のいずれかに記載の装置。
【請求項１０】
ミラーがツーウェイミラーである請求項１から９のいずれかに記載の装置。
【請求項１１】
少なくとも１つのパーソナルケア製品が、ミラーの後のサポート上のアイコン、絵または商標によって識別される請求項１０に記載の装置。
【請求項１２】
アイコン、絵または商標を選択的に強調するように配置されたミラーの後のバックライトをさらに含む請求項１１に記載の装置。
【請求項１３】
ミラーの背後に薄膜キーパッドをさらに含む請求項１から１２のいずれかに記載の装置。
【請求項１４】
属性選択サイトが、脂性度、色、ふけの出やすさ、年齢、巻き毛の程度、毛の太さおよびそれらの組み合わせからなる群から選択される毛髪に関する質問を受け入れる領域である請求項１から１３のいずれかに記載の装置。
【請求項１５】
属性選択サイトが、歯の白さ、虫歯の数、口臭の程度、嗜好、詰めものおよびそれらの組み合わせからなる群から選択されるものに関する歯の質問を受け入れる領域である請求項１から１４のいずれかに記載の装置。
【請求項１６】
ミラー内にその像が映される顧客に焦点を合わせて、ミラーに位置合わせされたカメラをさらに含む請求項１から１５のいずれかに記載の装置。
【請求項１７】
選択セレクタの入力から処理された情報を送信する無線電話をさらに含み、その情報が遠隔の計算機に送信される請求項１から１６のいずれかに記載の装置。
【請求項１８】
ミラーに映された顔の像の色に一致する色を見つけるのを助けるようにミラー上に配置されたそれぞれが異なる色合いをもつ同様な大きさの領域の配列をさらに含む請求項１から１７のいずれかに記載の装置。
【請求項１９】
顧客にパーソナルケア製品を推薦する方法において、
（Ａ）診断装置を提供するステップであって、
（ｉ）ミラーと、
（ｉｉ）ミラーと共にまたはそれに関連して配置された複数の属性選択サイトであって、サイトがそれぞれ複数の選択セレクタをもつ属性選択サイトと、
（ｉｉｉ）選択セレクタからの入力に基づいて少なくとも１つのパーソナルケア製品を推薦する出力とを含む診断装置を提供するステップと、
（Ｂ）各属性選択サイトに対し複数の選択セレクタのうち１つを起動させ、それによって顧客の個人属性に関する質問に答えることを顧客に教えるステップと、
（Ｃ）選択セレクタからの入力に基づいて１つまたは複数のパーソナルケア製品を顧客に推薦するステップとを含む方法。
【発明の詳細な説明】
【技術分野】
【０００１】
本発明は顧客が自分の体のために最も適切なパーソナルケア製品を自己評価できる装置および方法に関する。
【背景技術】
【０００２】
「壁の鏡よ、鏡、彼らの中で最も美しいのは誰」。白雪姫の物語の意地の悪い魔女はそう尋ねた。もし魔女が個人的に専用化された肌の分析の恩恵を受けていたら、推薦された化粧処理が、多分魔女を最も美しいものに高めていたことだろう。ああかわいそうに、魔女は、自分の肌のタイプに最も適したものを理解せずに、自分の化粧品を盲目的に選んでいた。
【０００３】
Ｃｌｉｎｉｑｕｅ（登録商標）は、数年の間、計算尺型の店内アドバイス用の診断システムを提供してきた。いくつかの質問に対する答に基づいて、顧客は適切な１つまたは複数の化粧品に導かれる。
【発明の開示】
【発明が解決しようとする課題】
【０００４】
顧客の入力に基づく店内製品推薦チャートは、あまり成功しなかった。いくつかのシステムは、操作するもの解釈するのも困難である。他のシステムは、注目を集めることができない。操作するのが簡単で、理解するのが容易で、かつ注目を集める、１つまたは複数の個人的に専用化された製品を推薦できる機構を提供するために、今までに知られているものと比べて、より優れたシステムが必要である。
【課題を解決するための手段】
【０００５】
本発明の第１の態様では、
（ｉ）ミラーと、
（ｉｉ）ミラーと共にまたはそれに関連して配置された複数の属性選択サイトであって、サイトそれぞれが複数の選択セレクタをもつ属性選択サイトと、
（ｉｉｉ）選択セレクタからの入力に基づいて少なくとも１つのパーソナルケア製品を推薦するための出力とを含む診断装置が提供される。
【０００６】
スキンケア製品用の属性選択サイトは、顧客の年齢、肌の色合い、乾燥度、日焼けの受けやすさ、吹き出ものの発生しやすさ、しわの形成、孔の大きさおよびそれらの組み合わせに関する質問を受け入れるサイトである。有利には、複数の属性選択サイトのそれぞれの内部には２から２０の選択サイトがあるが、しかし好ましくは３から６の選択サイトがあるのがよい。サイトは、数において３から３０の範囲にあるが、好ましくは４から８の範囲にあるのがよい。
【０００７】
サイト内のセレクタの１つの起動が、好ましい実施形態では、その同じサイトの任意の他のセレクタの同時の起動を妨げる。サイト内部の選択セレクタのそれぞれは、サイトを説明する属性の異なる度合いを表示することで互いに異なることができる。
【０００８】
選択セレクタを、セレクタサイトとして書くことで指定された領域に対する指の圧力によって起動させることができる。セレクタの起動が、電子計算機への電子伝送信号を開始させることができる。あるいは、セレクタの起動が、電子出力に接続されていない機械的伝動装置を開始させることができる。本発明による出力の低コストの形は、チャートの使用を含む。これを板紙またはプラスチックで構成することができる。チャートは、ホイール上の異なる位置で複数のパーソナルケア製品を識別するホイールでよい。あるいは、それは、ルーズリーフのリングなどのバインダによって一緒に保持された複数ページまたはスクリーンのフリップチャートでよい。
【０００９】
本発明の最も重要な部分は、いくつかの実施形態ではツーウェイミラーであってもよいミラーの部分である。それぞれがアイコン（例えば、絵または言葉の記号）によって識別される複数のパーソナルケア製品を、ミラーの後のスクリーン上に支持することができる。ミラーの背後のバックライトが、１つまたは複数のアイコンを選択的に強調するように配置される。強調する領域は、質問表を通じて推薦された製品に関連するものである。
【００１０】
さらに別の実施形態は、薄膜キーパッドがミラーの背後に保持される。そして、質問表への答の入力は、薄膜キーパッド上の適切なキーを押すことで指示される。
【００１１】
本発明のさらなる特徴および利点は、以下の図面を考えることによって、より明白になるであろう。
【００１２】
今では、以前に知られているものに見いだされた不利な点の多くを克服した診断装置および方法が見つけられた。自然な人間的な魅力の特徴を欠き、または極めて魅力のない診断装置はもはやない。ミラーが本発明の中心的な焦点を形成する。人間は、常にミラーに引きつけられる。何かの理由で人の自身の像を見ないではいられない。顧客がディスプレイに引きつけられると、診断の質問の配列が、顧客の注意を引くようになり、単独の質問表／推薦デバイスほど威圧的なものではない。
【００１３】
さらに、ミラーは顧客が身体の属性に関するいくつかの質問に答えるのを手助けする。例えば、個人の肌の色調を要求する質問に容易に答えられるようになる。一連の異なる色調を、ミラー上にまたはそれに隣接して表すことができる。最も近い色調が、ミラーに現れた顔の色を、色の配列の色調の１つに関連づけることによって、はるかに容易に識別される。他の属性もミラーの像からのフィードバックと互いに影響しあうことができる。肌が脂性であるか乾燥性であるかを、ミラーの反映を見ることによって答えることができる。
【発明を実施するための最良の形態】
【００１４】
図１は、本発明の第１の実施形態を示す。診断装置はサポート部材４に取り付けられたミラー２を含む。サポート部材の要素は、店の棚１０に固定することを意図するねじ込み可能なブラケットの形状をした取り付け部材８を一端にもつアーム６を含む。別のサポート部材の実施形態は、棚の上に載っている自立のサポート基部、ばね荷重式クランプおよび接着ボンドを含む。
【００１５】
連結部材１２は、取り付け部材から遠く離れてアームの他端に配置され、棚を越えて外側に突き出す。
【００１６】
図３が、様々な化粧品容器に隣接する店の棚に関連して診断装置を最もよく示している。
【００１７】
連結部材は可動でも固定でもよく、ミラーをサポート部材に結合するように機能する。可動性を、ボールインソケット、ばねクランプ、ラチェット、蝶番または連結部材の内部の同様な機構によって達成することができる。
【００１８】
図１に示された実施形態は、セレクタトラック１４に沿った５つの属性選択サイトを表す。これらの属性選択サイトは、年齢１６、色および色調１８、脂性度２０、日焼けの受けやすさ２２、および吹き出ものの発生頻度２４のサイトを含む。
【００１９】
可動レバー２６は、属性選択サイトのそれぞれに当接する。このレバーを、いくつかの選択セレクタ位置の１つの近くに配置するように手で操作することができる。例えば、日焼けの受けやすさの属性選択サイト２２に関して、「しばしば」２８と「決してない」３０の選択セレクタ位置の間の選択があり得る。
【００２０】
属性選択サイトの別のものは、年齢に関連する。要素３２、３４および３６として図１に示すように、年齢グループ「１６―２４」、「２５―３６」および「３７―８０」用に、このサイトに沿った選択セレクタ位置がある。
【００２１】
すぐ下に肌の色および色調用の属性選択サイトがある。一連の５つの色合いまたは色調が、異なる選択セレクタ位置３８、４０、４２、４４および４６に提示される。同一の色または色調の組み合わせ４８が、ミラーの中央表面にわたって、より大きい形状で配列される。ミラーの目立つ表面上のこの拡大された色または色調の組み合わせは、顧客がミラー内で映された自分の肌を選択セレクタの色または色調の１つに一致させるのを助ける。当て推量は排除される。
【００２２】
属性選択サイトの４番目は、吹き出ものの発生頻度用のサイトである。この質問に沿って、ミラーに隣接して、２つの選択セレクタ位置が印刷される。これらは「しばしば」５０または「決してない」５２の答に対するものである。いくつかの実施形態では、追加の中間の選択セレクタ位置または連続したそのような位置があってもよい。
【００２３】
属性選択サイトの５番目は、脂性度２０のサイトである。ここでは、「脂性」５４および「乾燥性」５６の選択セレクタ位置があるのがよい。いくつかの中間の位置または連続した位置があってもよい。
【００２４】
顧客が可動レバーをトラックに沿った選択セレクタ位置に配置すると、機械的に動作する事前に印刷されたプログラムボードが、製品選択窓５８内に合わせて配置される。図１の実施形態では、窓はミラーの下側の区画に見いだされる。キー６０が、窓の内部に現れる。図面は、プログラムボード上に印刷されたキーを数＋２として説明している。
【００２５】
最も詳細な形状では、第１の実施形態は、約２０．３２ｃｍ（８インチ）のミラーを含む。各可動レバー２６は、プログラムボードを備えたホイールを最終的に駆動する１×２．５のリンク機構に沿って相互連結される。
【００２６】
顧客の次のステップは、リングバインダ６４内部に保持された製品ファインダの組み合わせカード６２を参照することである。図２は、リングバインダに取り付けられた典型的なカードの１つの実施形態を説明している。言葉による参照で、または絵のアイコンを通して、製品ファインダカードは、ミラーから識別されたキーを顧客に個人的に専用化された１つまたは複数の特定のパーソナルケア製品に関連づける。カードを備えるリングバインダを、同じ棚に掛け、ミラーと同様に取り付け部材に支持することさえもできる。
【００２７】
本発明の第２の実施形態は、図４に最もよく示されている。ハウジング６６が、診断装置を単一の容易に持ち運びできるデバイスに統合する。ハウジングは、棚７０上に自立できる平らな底壁６８をもつ。ハウジングの前面はミラー７２である。
【００２８】
窓７４およびボタン７６の形状の一連の選択セレクタは、ハウジングの前のミラー面に形成される。液晶表示装置スクリーン７８が、窓７４の内部に表示される。コンピュータボード８０上のプログラムが、ハウジングの内部に支持される。
【００２９】
一連の質問がプログラム内に蓄積される。これらの質問は、年齢、肌の色合い、乾燥度、日焼けの受けやすさ、吹き出ものの発生しやすさ、しわおよび孔の大きさなどの身体的な質問に関連する。これらが液晶表示装置スクリーン上の窓の内部に現れるとき、各質問が、本発明に関連する属性セレクションサイトと考えられる。顧客は、各属性の質問に、４つのボタン７６の１つを押すことによって答えるように頼まれる。例えば、スクリーンが、顧客の年齢を尋ね、また各々が４つのボタンの１つの上にそれぞれ配置された「１６＋」、「２４＋」「３５＋」および「５０＋」など４つの選択肢を列挙することができる。色または肌の色調を、色のアイコン、あるいはモカ色、オリーブ色、明るい蜂蜜色および象牙色などの言葉として液晶表示装置スクリーン上に表すことができる。ミラーは、顧客が自分自身の顔を見て決め、それによって質問への入力をするのを助ける。
【００３０】
顧客がすべての属性の質問に答えると、プログラムは、それから顧客に個人的に専用化された最も適したパーソナルケア製品または製品の組み合わせがどれかを計算する。
【００３１】
最も良い製品の組み合わせの液晶表示装置スクリーンの印刷出力の代替に、またはそれに加えて、１つまたは複数の最も良い製品を説明する紙の印刷出力８８を提供することができる。図５が、印刷機構を説明する。巻取紙８２がハウジング６６の内部に支持される。紙がロールからプリンタ８４に供給される。動力は、電池ユニット８６によって生成される。印刷出力８８は、スロット９０を通ってハウジングから出る。それから、顧客は巻取紙から印刷出力を切り離し、思い出すためのメモ書きまたは個人的記録として保持する。
【００３２】
有利には、本発明の診断装置は、ミラーに映されたのと同じ顧客の顔の像を撮るためにミラー７２と位置合わせされたカメラ６７をさらに含むことができる。本発明のさらなる任意選択の態様は、無線電話６９のものである。この電話は、中央本部などの遠隔のコンピュータに、顧客によって提供された情報を送信できるものである。電話の接続は、中央位置から診断装置に再度送信を戻し、単に店の診断機器から利用可能であるのと比べて、より詳細な情報の能力を提供することを可能にする。
【００３３】
図６は、本発明の第３の実施形態を示す。他のすべての実施形態と同様、ミラー９２が注目の焦点である。一連の６つの属性選択サイト９４−１０４がミラーの境界から下に列として配列される。これらのサイトは、それぞれ、乾燥度、吹き出ものの発生しやすさ、日焼けの受けやすさ、孔の大きさ、しわおよび肌の色合い（色調）に関する質問に対応する。各属性選択サイトに対する問いかけられた質問は、選択セレクタボタンの形状の３から６の可能な答をもつ。例えば、肌の乾燥度属性サイト９４は４つの可能な選択セレクタ１０６−１１２をもつ。これらの答は、脂性の肌、乾燥性の肌、組み合わせの肌および敏感な肌でそれぞれ変動する。
【００３４】
肌の色合いまたは色調の属性サイト１０４は、肌の色調に対応する６つの色の付いた円で選択を表す。これらの選択セレクタの色のそれぞれは、起動可能なボタンを表示する。
【００３５】
顧客により適切な選択セレクタに指の圧力を加えることによって、すべての質問に回答がされた後で、分析ボタン１１４が押される。それから事前にプログラムされた計算機が、肌の手入れ療法に使用できるいくつかの個人に専用化された製品への推薦を提供する。この療法が、顧客が答の回答に記載した肌のタイプに合うように調整される。
【００３６】
ミラー９２は、ボタンの表面の下に小型コンピュータネットワークに情報を送信するためのデジタルキーパッドをもつツーウェイミラーである。６から２４程度の療法を推薦することができる。各療法の中で、トナー、クレンザ、モイスチャライザおよび／またはコンディショナなど１つから６つ程度の異なるタイプの製品を推薦することができる。着色化粧品を推薦することもでき、これらは、顔のファンデーション、口紅、マスカラ、ブラシ、アイライナおよびネイルポリッシャを含むことができる。
【００３７】
推薦された製品を表すアイコンがツーウェイミラーの下の透明シート１１５上に置かれる。個人的に専用化された製品の組み合わせが、選択的にバックライトを当てられたアイコンとして提供され、したがってそれらの像がツーウェイミラーを通して光る。
【００３８】
図７は、バックライトを当てる順序を説明する。選ばれた属性選択サイトの選択セレクタのそれぞれの１つ、ならびに分析ボタン１１４にバックライトが当てられる。これが、顧客の記憶を新たにし、属性選択サイトに沿った質問に対する選ばれた答を確認する。第２に、バックライトを当てることが、質問表の分析に従ってその人に適切な３つの製品を強調する。顔のクレンザ１１６とボディシャワージェル１１８とコンディショニングローション１２０用の瓶のバックライトを当てられた図が提示される。
【００３９】
第３の実施形態の変形形態も本発明によって実施できる。例えば、図６−７のツーウェイミラーの実施形態を、ミラーの後に薄膜キーパッドを備えて提供することができる。質問および可能な回答のリストを、ミラーを上下にスクロールすることで見ることができる。セレクタの選択を、液晶表示装置の光で強調することができる。個々の選択セレクタの回答に基づいて、パーソナルケア製品の組み合わせが推薦される。ツーウェイミラーの背後の色つき液晶表示装置の像を起動させることによって、推薦が達成される。それから製品の瓶の像がミラーを通して輝くことができる。他の（適切でない）製品を表すそれらのアイコンは、暗いままであり、したがって顧客には見ることができない。
【００４０】
本発明による診断装置は、肌のために特に適しているが、それに限定されるものではない。例えば、本発明のデバイスは、毛髪、腋窩および口腔用の製品にも適用可能である。毛髪の処置のため適切な個人的に専用化された療法を調べるに必要な質問の中には、脂性度、色、ふけの出やすさ、年齢、巻き毛の度合い、および毛髪の太さに関する質問が含まれる。毛髪の製品を個人的に専用化されたコンディショナー、シャンプー、スタイリングエイド、染毛剤およびヘアスプレーを含むカテゴリの中から推薦することができる。
【００４１】
歯の製品も、本発明の診断装置で個人的に専用化することができる。顧客に対して出すことができる質問は、歯の白さ、虫歯の数、口臭の程度、嗜好、詰めもののタイプおよびそれらの組み合わせを含む。ミラーの使用は、色調に関する１つまたは複数の質問に回答するとき、顧客が歯の色を一致させるのを助けるのに特に効果的である。ミラーは、顧客が以前に詰めることができた虫歯の数を識別するにも有用である。
【００４２】
「含む（ｃｏｍｐｒｉｓｉｎｇ）」という用語は、その後に述べられた任意の要素に限定するものではなく、むしろ大きいまたは小さい機能的な重要性をもつ、明記されていない要素も包含するものである。言い換えると、列挙されたステップ、要素または任意選択肢は、網羅的であるとは限らない。用語「含む（ｉｎｃｌｕｄｉｎｇ）」または「もつ（ｈａｖｉｎｇ）」が使用されるときはいつも、上記で定義されたような「含む（ｃｏｍｐｒｉｓｉｎｇ）」と同等であるものとする。
【図面の簡単な説明】
【００４３】
【図１】本発明による診断装置の機械的に動作する第１の実施形態の図である。
【図２】第１の実施形態と組み合わせて使用される製品ファインダ参照チャートの図である。
【図３】店の棚に配置して示された第１の実施形態の透視図である。
【図４】本発明による診断装置の電子的に動作する第２の実施形態の図である。
【図５】図４に示された第２の実施形態の線５−５に沿って取られた内部機構の概略断面図である。
【図６】本発明による診断装置の電子的に動作する第３の実施形態の図である。
【図７】顧客の入力によって起動されて、この特定の顧客にとって最も適したそれらのパーソナルケア製品を明らかにする図６による第３の実施形態の図である。
【図１】
2006516905.tif 000003
【図２】
2006516905.tif 000004
【図３】
2006516905.tif 000005
【図４】
2006516905.tif 000006
【図５】
2006516905.tif 000007
【図６】
2006516905.tif 000008
【図７】
2006516905.tif 000009
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
（ｉ）ツーウェイミラーと、
（ｉｉ）ミラーと共にまたはそれに関連して配置された複数の属性選択サイトであって、サイトそれぞれが複数の選択セレクタをもつ属性選択サイトと、
（ｉｉｉ）選択セレクタからの入力に基づいて少なくとも１つのパーソナルケア製品を推薦するための出力であって、少なくとも１つのパーソナルケア製品がツーウェイミラーの背後のサポート上のアイコン、絵または商標によって識別される出力と、
（ｉｖ）アイコン、絵または商標を選択的に強調するように配置されたミラーの背後のバックライトとを含む診断装置。
【請求項２】
属性選択サイトが、年齢、肌の色合い、乾燥度、日焼けの受けやすさ、吹き出ものの発生しやすさ、しわ、孔の大きさおよびそれらの組み合わせから選択されたものに関連する質問を受け入れる領域である請求項１に記載の装置。
【請求項３】
複数のサイトが少なくとも３つの選択セレクタをもつ請求項１または２に記載の装置。
【請求項４】
サイト内の選択セレクタの１つの起動が、その同じサイトの任意の他のセレクタの同時の起動を妨げる請求項１から３のいずれかに記載の装置。
【請求項５】
サイト内部の選択セレクタのそれぞれが、サイトを説明する属性の異なる度合いを表示することで互いに異なる請求項１から４のいずれかに記載の装置。
【請求項６】
選択セレクタが、セレクタサイトとして指定された領域に対する指の圧力によって起動される請求項１から５のいずれかに記載の装置。
【請求項７】
選択セレクタの起動が、コンピュータプログラムへの電子伝送信号を開始させる請求項１から６のいずれかに記載の装置。
【請求項８】
選択セレクタの起動が、電子計算機に接続されていない機械的伝動装置を開始させる請求項１から７のいずれかに記載の装置。
【請求項９】
出力が、顧客に最も適した１つまたは複数のパーソナルケア製品を推薦する１つまたは複数のチャート上に詳述される請求項１から８のいずれかに記載の装置。
【請求項１０】
ミラーの背後に薄膜キーパッドをさらに含む請求項１から９のいずれかに記載の装置。
【請求項１１】
属性選択サイトが、脂性度、色、ふけの出やすさ、年齢、巻き毛の程度、毛の太さおよびそれらの組み合わせからなる群から選択される毛髪に関する質問を受け入れる領域である請求項１から１０のいずれかに記載の装置。
【請求項１２】
属性選択サイトが、歯の白さ、虫歯の数、口臭の程度、嗜好、詰めものおよびそれらの組み合わせからなる群から選択されるものに関する歯の質問を受け入れる領域である請求項１から１１のいずれかに記載の装置。
【請求項１３】
ミラー内にその像が映される顧客に焦点を合わせて、ミラーに位置合わせされたカメラをさらに含む請求項１から１２のいずれかに記載の装置。
【請求項１４】
選択セレクタの入力から処理された情報を送信する無線電話をさらに含み、その情報が遠隔の計算機に送信される請求項１から１３のいずれかに記載の装置。
【請求項１５】
ミラーに映された顔の像の色に一致する色を見つけるのを助けるようにミラー上に配置されたそれぞれが異なる色合いをもつ同様な大きさの領域の配列をさらに含む請求項１から１４のいずれかに記載の装置。
【請求項１６】
顧客にパーソナルケア製品を推薦する方法において、
（Ａ）診断装置を提供するステップであって、
（ｉ）ツーウェイミラーと、
（ｉｉ）ツーウェイミラーと共にまたはそれに関連して配置された複数の属性選択サイトであって、サイトがそれぞれ複数の選択セレクタをもつ属性選択サイトと、
（ｉｉｉ）選択セレクタからの入力に基づいて少なくとも１つのパーソナルケア製品を推薦する出力と、
（ｉｖ）ミラーの背後のバックライトとを含む診断装置を提供するステップと、
（Ｂ）各属性選択サイトに対し複数の選択セレクタのうち１つを起動させ、それによって顧客の個人属性に関する質問に答えることを顧客に教えるステップと、
（Ｃ）選択セレクタからの入力に基づいて１つまたは複数のパーソナルケア製品を顧客に推薦するステップとを含み、推薦されたパーソナルケア製品がバックライトでツーウェイミラーの背後のサポート上のアイコン、絵または商標を選択的に強調することによって識別される方法。
【手続補正２】
【補正対象書類名】明細書
【補正対象項目名】全文
【補正方法】変更
【補正の内容】
【発明の詳細な説明】
【技術分野】
【０００１】
本発明は顧客が自分の体のために最も適切なパーソナルケア製品を自己評価できる装置および方法に関する。
【背景技術】
【０００２】
「壁の鏡よ、鏡、彼らの中で最も美しいのは誰」。白雪姫の物語の意地の悪い魔女はそう尋ねた。もし魔女が個人的に専用化された肌の分析の恩恵を受けていたら、推薦された化粧処理が、多分魔女を最も美しいものに高めていたことだろう。ああかわいそうに、魔女は、自分の肌のタイプに最も適したものを理解せずに、自分の化粧品を盲目的に選んでいた。
【０００３】
Ｃｌｉｎｉｑｕｅ（登録商標）は、数年の間、計算尺型の店内アドバイス用の診断システムを提供してきた。いくつかの質問に対する答に基づいて、顧客は適切な１つまたは複数の化粧品に導かれる。
【発明の開示】
【発明が解決しようとする課題】
【０００４】
顧客の入力に基づく店内製品推薦チャートは、あまり成功しなかった。いくつかのシステムは、操作するもの解釈するのも困難である。他のシステムは、注目を集めることができない。操作するのが簡単で、理解するのが容易で、かつ注目を集める、１つまたは複数の個人的に専用化された製品を推薦できる機構を提供するために、今までに知られているものと比べて、より優れたシステムが必要である。
【課題を解決するための手段】
【０００５】
本発明の第１の態様では、
（ｉ）ツーウェイミラーと、
（ｉｉ）ミラーと共にまたはそれに関連して配置された複数の属性選択サイトであって、サイトそれぞれが複数の選択セレクタをもつ属性選択サイトと、
（ｉｉｉ）選択セレクタからの入力に基づいて少なくとも１つのパーソナルケア製品を推薦するための出力であって、少なくとも１つのパーソナルケア製品がツーウェイミラーの背後のサポート上のアイコン、絵または商標によって識別される出力と、
（ｉｖ）アイコン、絵または商標を選択的に強調するように配置されたミラーの背後のバックライトとを含む診断装置が提供される。
【０００６】
スキンケア製品用の属性選択サイトは、顧客の年齢、肌の色合い、乾燥度、日焼けの受けやすさ、吹き出ものの発生しやすさ、しわの形成、孔の大きさおよびそれらの組み合わせに関する質問を受け入れるサイトである。有利には、複数の属性選択サイトのそれぞれの内部には２から２０の選択サイトがあるが、しかし好ましくは３から６の選択サイトがあるのがよい。サイトは、数において３から３０の範囲にあるが、好ましくは４から８の範囲にあるのがよい。
【０００７】
サイト内のセレクタの１つの起動が、好ましい実施形態では、その同じサイトの任意の他のセレクタの同時の起動を妨げる。サイト内部の選択セレクタのそれぞれは、サイトを説明する属性の異なる度合いを表示することで互いに異なることができる。
【０００８】
選択セレクタを、セレクタサイトとして書くことで指定された領域に対する指の圧力によって起動させることができる。セレクタの起動が、電子計算機への電子伝送信号を開始させることができる。あるいは、セレクタの起動が、電子出力に接続されていない機械的伝動装置を開始させることができる。本発明による出力の低コストの形は、チャートの使用を含む。これを板紙またはプラスチックで構成することができる。チャートは、ホイール上の異なる位置で複数のパーソナルケア製品を識別するホイールでよい。あるいは、それは、ルーズリーフのリングなどのバインダによって一緒に保持された複数ページまたはスクリーンのフリップチャートでよい。
【０００９】
本発明の最も重要な部分は、ツーウェイミラーであるミラーの部分である。複数のパーソナルケア製品のそれぞれが、ミラーの背後のスクリーン上に支持されるアイコン（例えば、絵または言葉の記号）によって識別される。ミラーの背後のバックライトが、１つまたは複数のアイコンを選択的に強調するように配置される。強調する領域は質問表を通じて推薦された製品に関連するものである。
【００１０】
さらに別の実施形態は、薄膜キーパッドがミラーの背後に保持される。そして、質問表への答の入力は、薄膜キーパッド上の適切なキーを押すことで指示される。
【００１１】
本発明のさらなる特徴および利点は、以下の図面を考えることによって、より明白になるであろう。
【００１２】
今では、以前に知られているものに見いだされた不利な点の多くを克服した診断装置および方法が見つけられた。自然な人間的な魅力の特徴を欠き、または極めて魅力のない診断装置はもはやない。ミラーが本発明の中心的な焦点を形成する。人間は、常にミラーに引きつけられる。何かの理由で人の自身の像を見ないではいられない。顧客がディスプレイに引きつけられると、診断の質問の配列が、顧客の注意を引くようになり、単独の質問表／推薦デバイスほど威圧的なものではない。
【００１３】
さらに、ミラーは顧客が身体の属性に関するいくつかの質問に答えるのを手助けする。例えば、個人の肌の色調を要求する質問に容易に答えられるようになる。一連の異なる色調を、ミラー上にまたはそれに隣接して表すことができる。最も近い色調が、ミラーに現れた顔の色を、色の配列の色調の１つに関連づけることによって、はるかに容易に識別される。他の属性もミラーの像からのフィードバックと互いに影響しあうことができる。肌が脂性であるか乾燥性であるかを、ミラーの反映を見ることによって答えることができる。
【発明を実施するための最良の形態】
【００１４】
図１は、本発明の第１の実施形態を示す。診断装置はサポート部材４に取り付けられたミラー２を含む。サポート部材の要素は、店の棚１０に固定することを意図するねじ込み可能なブラケットの形状をした取り付け部材８を一端にもつアーム６を含む。別のサポート部材の実施形態は、棚の上に載っている自立のサポート基部、ばね荷重式クランプおよび接着ボンドを含む。
【００１５】
連結部材１２は、取り付け部材から遠く離れてアームの他端に配置され、棚を越えて外側に突き出す。
【００１６】
図３が、様々な化粧品容器に隣接する店の棚に関連して診断装置を最もよく示している。
【００１７】
連結部材は可動でも固定でもよく、ミラーをサポート部材に結合するように機能する。可動性を、ボールインソケット、ばねクランプ、ラチェット、蝶番または連結部材の内部の同様な機構によって達成することができる。
【００１８】
図１に示された実施形態は、セレクタトラック１４に沿った５つの属性選択サイトを表す。これらの属性選択サイトは、年齢１６、色および色調１８、脂性度２０、日焼けの受けやすさ２２、および吹き出ものの発生頻度２４のサイトを含む。
【００１９】
可動レバー２６は、属性選択サイトのそれぞれに当接する。このレバーを、いくつかの選択セレクタ位置の１つの近くに配置するように手で操作することができる。例えば、日焼けの受けやすさの属性選択サイト２２に関して、「しばしば」２８と「決してない」３０の選択セレクタ位置の間の選択があり得る。
【００２０】
属性選択サイトの別のものは、年齢に関連する。要素３２、３４および３６として図１に示すように、年齢グループ「１６―２４」、「２５―３６」および「３７―８０」用に、このサイトに沿った選択セレクタ位置がある。
【００２１】
すぐ下に肌の色および色調用の属性選択サイトがある。一連の５つの色合いまたは色調が、異なる選択セレクタ位置３８、４０、４２、４４および４６に提示される。同一の色または色調の組み合わせ４８が、ミラーの中央表面にわたって、より大きい形状で配列される。ミラーの目立つ表面上のこの拡大された色または色調の組み合わせは、顧客がミラー内で映された自分の肌を選択セレクタの色または色調の１つに一致させるのを助ける。当て推量は排除される。
【００２２】
属性選択サイトの４番目は、吹き出ものの発生頻度用のサイトである。この質問に沿って、ミラーに隣接して、２つの選択セレクタ位置が印刷される。これらは「しばしば」５０または「決してない」５２の答に対するものである。いくつかの実施形態では、追加の中間の選択セレクタ位置または連続したそのような位置があってもよい。
【００２３】
属性選択サイトの５番目は、脂性度２０のサイトである。ここでは、「脂性」５４および「乾燥性」５６の選択セレクタ位置があるのがよい。いくつかの中間の位置または連続した位置があってもよい。
【００２４】
顧客が可動レバーをトラックに沿った選択セレクタ位置に配置すると、機械的に動作する事前に印刷されたプログラムボードが、製品選択窓５８内に合わせて配置される。図１の実施形態では、窓はミラーの下側の区画に見いだされる。キー６０が、窓の内部に現れる。図面は、プログラムボード上に印刷されたキーを数＋２として説明している。
【００２５】
最も詳細な形状では、第１の実施形態は、約２０．３２ｃｍ（８インチ）のミラーを含む。各可動レバー２６は、プログラムボードを備えたホイールを最終的に駆動する１×２．５のリンク機構に沿って相互連結される。
【００２６】
顧客の次のステップは、リングバインダ６４内部に保持された製品ファインダの組み合わせカード６２を参照することである。図２は、リングバインダに取り付けられた典型的なカードの１つの実施形態を説明している。言葉による参照で、または絵のアイコンを通して、製品ファインダカードは、ミラーから識別されたキーを顧客に個人的に専用化された１つまたは複数の特定のパーソナルケア製品に関連づける。カードを備えるリングバインダを、同じ棚に掛け、ミラーと同様に取り付け部材に支持することさえもできる。
【００２７】
本発明の第２の実施形態は、図４に最もよく示されている。ハウジング６６が、診断装置を単一の容易に持ち運びできるデバイスに統合する。ハウジングは、棚７０上に自立できる平らな底壁６８をもつ。ハウジングの前面はミラー７２である。
【００２８】
窓７４およびボタン７６の形状の一連の選択セレクタは、ハウジングの前のミラー面に形成される。液晶表示装置スクリーン７８が、窓７４の内部に表示される。コンピュータボード８０上のプログラムが、ハウジングの内部に支持される。
【００２９】
一連の質問がプログラム内に蓄積される。これらの質問は、年齢、肌の色合い、乾燥度、日焼けの受けやすさ、吹き出ものの発生しやすさ、しわおよび孔の大きさなどの身体的な質問に関連する。これらが液晶表示装置スクリーン上の窓の内部に現れるとき、各質問が、本発明に関連する属性セレクションサイトと考えられる。顧客は、各属性の質問に、４つのボタン７６の１つを押すことによって答えるように頼まれる。例えば、スクリーンが、顧客の年齢を尋ね、また各々が４つのボタンの１つの上にそれぞれ配置された「１６＋」、「２４＋」「３５＋」および「５０＋」など４つの選択肢を列挙することができる。色または肌の色調を、色のアイコン、あるいはモカ色、オリーブ色、明るい蜂蜜色および象牙色などの言葉として液晶表示装置スクリーン上に表すことができる。ミラーは、顧客が自分自身の顔を見て決め、それによって質問への入力をするのを助ける。
【００３０】
顧客がすべての属性の質問に答えると、プログラムは、それから顧客に個人的に専用化された最も適したパーソナルケア製品または製品の組み合わせがどれかを計算する。
【００３１】
最も良い製品の組み合わせの液晶表示装置スクリーンの印刷出力の代替に、またはそれに加えて、１つまたは複数の最も良い製品を説明する紙の印刷出力８８を提供することができる。図５が、印刷機構を説明する。巻取紙８２がハウジング６６の内部に支持される。紙がロールからプリンタ８４に供給される。動力は、電池ユニット８６によって生成される。印刷出力８８は、スロット９０を通ってハウジングから出る。それから、顧客は巻取紙から印刷出力を切り離し、思い出すためのメモ書きまたは個人的記録として保持する。
【００３２】
有利には、本発明の診断装置は、ミラーに映されたのと同じ顧客の顔の像を撮るためにミラー７２と位置合わせされたカメラ６７をさらに含むことができる。本発明のさらなる任意選択の態様は、無線電話６９のものである。この電話は、中央本部などの遠隔のコンピュータに、顧客によって提供された情報を送信できるものである。電話の接続は、中央位置から診断装置に再度送信を戻し、単に店の診断機器から利用可能であるのと比べて、より詳細な情報の能力を提供することを可能にする。
【００３３】
図６は、本発明の第３の実施形態を示す。他のすべての実施形態と同様、ミラー９２が注目の焦点である。一連の６つの属性選択サイト９４−１０４がミラーの境界から下に列として配列される。これらのサイトは、それぞれ、乾燥度、吹き出ものの発生しやすさ、日焼けの受けやすさ、孔の大きさ、しわおよび肌の色合い（色調）に関する質問に対応する。各属性選択サイトに対する問いかけられた質問は、選択セレクタボタンの形状の３から６の可能な答をもつ。例えば、肌の乾燥度属性サイト９４は４つの可能な選択セレクタ１０６−１１２をもつ。これらの答は、脂性の肌、乾燥性の肌、組み合わせの肌および敏感な肌でそれぞれ変動する。
【００３４】
肌の色合いまたは色調の属性サイト１０４は、肌の色調に対応する６つの色の付いた円で選択を表す。これらの選択セレクタの色のそれぞれは、起動可能なボタンを表示する。
【００３５】
顧客により適切な選択セレクタに指の圧力を加えることによって、すべての質問に回答がされた後で、分析ボタン１１４が押される。それから事前にプログラムされた計算機が、肌の手入れ療法に使用できるいくつかの個人に専用化された製品への推薦を提供する。この療法が、顧客が答の回答に記載した肌のタイプに合うように調整される。
【００３６】
ミラー９２は、ボタンの表面の下に小型コンピュータネットワークに情報を送信するためのデジタルキーパッドをもつツーウェイミラーである。６から２４程度の療法を推薦することができる。各療法の中で、トナー、クレンザ、モイスチャライザおよび／またはコンディショナなど１つから６つ程度の異なるタイプの製品を推薦することができる。着色化粧品を推薦することもでき、これらは、顔のファンデーション、口紅、マスカラ、ブラシ、アイライナおよびネイルポリッシャを含むことができる。
【００３７】
推薦された製品を表すアイコンがツーウェイミラーの下の透明シート１１５上に置かれる。個人的に専用化された製品の組み合わせが、選択的にバックライトを当てられたアイコンとして提供され、したがってそれらの像がツーウェイミラーを通して光る。
【００３８】
図７は、バックライトを当てる順序を説明する。選ばれた属性選択サイトの選択セレクタのそれぞれの１つ、ならびに分析ボタン１１４にバックライトが当てられる。これが、顧客の記憶を新たにし、属性選択サイトに沿った質問に対する選ばれた答を確認する。第２に、バックライトを当てることが、質問表の分析に従ってその人に適切な３つの製品を強調する。顔のクレンザ１１６とボディシャワージェル１１８とコンディショニングローション１２０用の瓶のバックライトを当てられた図が提示される。
【００３９】
第３の実施形態の変形形態も本発明によって実施できる。例えば、図６−７のツーウェイミラーの実施形態を、ミラーの後に薄膜キーパッドを備えて提供することができる。質問および可能な回答のリストを、ミラーを上下にスクロールすることで見ることができる。セレクタの選択を、液晶表示装置の光で強調することができる。個々の選択セレクタの回答に基づいて、パーソナルケア製品の組み合わせが推薦される。ツーウェイミラーの背後の色つき液晶表示装置の像を起動させることによって、推薦が達成される。それから製品の瓶の像がミラーを通して輝くことができる。他の（適切でない）製品を表すそれらのアイコンは、暗いままであり、したがって顧客には見ることができない。
【００４０】
本発明による診断装置は、肌のために特に適しているが、それに限定されるものではない。例えば、本発明のデバイスは、毛髪、腋窩および口腔用の製品にも適用可能である。毛髪の処置のため適切な個人的に専用化された療法を調べるに必要な質問の中には、脂性度、色、ふけの出やすさ、年齢、巻き毛の度合い、および毛髪の太さに関する質問が含まれる。毛髪の製品を個人的に専用化されたコンディショナー、シャンプー、スタイリングエイド、染毛剤およびヘアスプレーを含むカテゴリの中から推薦することができる。
【００４１】
歯の製品も、本発明の診断装置で個人的に専用化することができる。顧客に対して出すことができる質問は、歯の白さ、虫歯の数、口臭の程度、嗜好、詰めもののタイプおよびそれらの組み合わせを含む。ミラーの使用は、色調に関する１つまたは複数の質問に回答するとき、顧客が歯の色を一致させるのを助けるのに特に効果的である。ミラーは、顧客が以前に詰めることができた虫歯の数を識別するにも有用である。
【００４２】
「含む（ｃｏｍｐｒｉｓｉｎｇ）」という用語は、その後に述べられた任意の要素に限定するものではなく、むしろ大きいまたは小さい機能的な重要性をもつ、明記されていない要素も包含するものである。言い換えると、列挙されたステップ、要素または任意選択肢は、網羅的であるとは限らない。用語「含む（ｉｎｃｌｕｄｉｎｇ）」または「もつ（ｈａｖｉｎｇ）」が使用されるときはいつも、上記で定義されたような「含む（ｃｏｍｐｒｉｓｉｎｇ）」と同等であるものとする。
【図面の簡単な説明】
【００４３】
【図１】本発明による診断装置の機械的に動作する第１の実施形態の図である。
【図２】第１の実施形態と組み合わせて使用される製品ファインダ参照チャートの図である。
【図３】店の棚に配置して示された第１の実施形態の透視図である。
【図４】本発明による診断装置の電子的に動作する第２の実施形態の図である。
【図５】図４に示された第２の実施形態の線５−５に沿って取られた内部機構の概略断面図である。
【図６】本発明による診断装置の電子的に動作する第３の実施形態の図である。
【図７】顧客の入力によって起動されて、この特定の顧客にとって最も適したそれらのパーソナルケア製品を明らかにする図６による第３の実施形態の図である。
【国際調査報告】
2006516905.tif 000010
2006516905.tif 000011
2006516905.tif 000012
2006516905.tif 000013